(57)【要約】【課題】複数の機器に電力を供給し、接続された機器の少なくともひとつがオフされたときには全ての接続機器への電力の供給を自動的にオフできる電源供給装置を提供する【解決手段】本発明の電源供給装置は、電源から供給される電流量を測定する複数の電流測定手段と、前記電流測定手段に対応して配置され電気的信号に基づいて電流の通電と遮断を行うスイッチ手段と、前記電流測定手段で測定された電流量を検出し少なくとも一つの電流量の測定値が所定の時間所定の値以下になった場合に全ての前記スイッチ手段に対して電流を遮断する旨の信号を出力する電源制御手段とを備えた。【選択図】図１
2009043474.tif 000002
【特許請求の範囲】
【請求項１】
電源から供給される電流量を測定する複数の電流測定手段と、
前記電流測定手段に対応して配置され電気的信号に基づいて電流の通電と遮断を行うスイッチ手段と、
前記電流測定手段で測定された電流量を検出し少なくとも一つの電流量の測定値が所定の時間所定の値以下になった場合に全ての前記スイッチ手段に対して電流を遮断する旨の信号を出力する電源制御手段と
を備えた電源供給装置。
【請求項２】
前記電源制御手段が、前記電流測定手段の測定した値を示すアナログ信号をデジタル信号に変換するＡ／Ｄ変換手段と、前記Ａ／Ｄ変換手段により出力されたデジタル信号を入力として前記スイッチ手段を制御する信号を出力するマイコン手段とを備えたことを特徴とする請求項１に記載の電源供給装置。
【請求項３】
前記電源制御手段が、前記電流測定手段の測定した値を実効値で読み取り当該測定値の微分値を出力する微分検出手段と、前記微分検出手段の出力信号が閾値を超えると動作を開始するタイマー手段とを備えたことを特徴とする請求項１に記載の電源供給装置。
【発明の詳細な説明】
【技術分野】
【０００１】
本発明は、複数の電気機器に電源を分配供給する電源供給装置に関し、特に、複数の電源供給を連動制御するように構成した電源供給装置に関するものである。
【背景技術】
【０００２】
テレビジョン受像機とセットトップボックスのように連動する機器において、一方の電源をオフしたときに、他方の電源をオフすることを忘れやすいという問題があり、かかる問題を解決する従来技術として、メイン機器への電源供給部には電流検知手段を設置し、電流検知手段の検知結果に基づいてサブ機器への電源供給部に設けられたスイッチで電流を遮断することで複数の機器の電源供給を制御するものがある（例えば、特許文献１を参照）。
【０００３】
図６は従来技術に係る電源供給装置の構成を示すブロック図である。本図において、プラグ６０５を介して供給される電源電流は、電流検知手段６０１を通してメインコンセント６０２よりメイン機器に与えられる。さらに、プラグ６０５を介して供給される電源電流は、スイッチ６０４を通して複数のサブコンセント６０３に分配されている。
【０００４】
以上のように構成した電源供給装置は、メインコンセント６０２を介して電源供給されるメイン機器がオン状態であるときは、電流検知手段６０１が電流を検知し、スイッチ６０４もオン状態になるように働く。そして。メイン機器がオフとなると、電流検知手段６０１で電流が検知されなくなって、スイッチ６０４もオフ状態に制御される。
【０００５】
以上のような動作で、メイン機器のオン／オフに連動してスイッチ６０４が動作し、サブコンセント６０３への電源電流の供給も連動することとなる。
【特許文献１】特開平９−２６６６４２号公報
【発明の開示】
【発明が解決しようとする課題】
【０００６】
しかしながら、上記の従来に係る電源供給装置は、メイン機器の周辺を配線で雑然とすることなく、サブ機器への電源制御をメイン機器の電源スイッチとの連動で容易に行えるようにするため、複数のコンセントの内、特定のコンセントに電流検出部が設けてあり、このコンセントに接続された機器の電源が切断されたときに、その他のコンセントの電源制御するための連動スイッチを備えてあるものであった。
【０００７】
そのため、特定のコンセント以外に接続された機器の電源が切断されたときに、その他のコネクタのスイッチを制御することは不可能であり、複数の機器が接続された電源供給装置において、サブコンセントに接続された機器の電源がオフされも他の機器の電源がオフされることがなく、接続された電子機器の切り忘れを生じる可能性があった。
【課題を解決するための手段】
【０００８】
上記問題を解決するために、本発明の電源供給装置は、電源から供給される電流量を測定する複数の電流測定手段と、前記電流測定手段に対応して配置され電気的信号に基づいて電流の通電と遮断を行うスイッチ手段と、前記電流測定手段で測定された電流量を検出し少なくとも一つの電流量の測定値が所定の時間所定の値以下になった場合に全ての前記スイッチ手段に対して電流を遮断する旨の信号を出力する電源制御手段とを備えたものである。
【発明の効果】
【０００９】
以上のように構成された本発明の電源供給装置によれば、複数の機器が接続された場合において、接続された機器の一つでも電源がオフされたときには、全ての電源がオフされることとなり、接続された電子機器の切り忘れがなくなる。
【発明を実施するための最良の形態】
【００１０】
（実施の形態１）
図１は本発明の電源供給装置の全体の構成を示すブロック図である。
【００１１】
電源プラグ１２０より外部の電源より電力が供給され複数に分配される。本実施形態においては分配数を２とした場合を説明する。
【００１２】
電力の一方は、スイッチ手段１３１、電流測定手段１４１を経由し、電源コネクタ１５１に分配される。電力の他方は、スイッチ手段１３２、電流測定手段１４２を経由し、電源コネクタ１５２に分配される。
【００１３】
電流測定手段１４１、１４２は、電源から供給され、電源コネクタ１５１、１５２より流れ出るそれぞれの電流量を測定する。スイッチ手段１３１、１３２は、それぞれ電流測定手段１４１、１４２に対応して直列配線されるように配置され電気的信号に基づいて電流の通電と遮断を行う。
【００１４】
電源制御手段１１０は、複数ある電流測定手段の全て、本実施形態においては電流測定手段１４１、１４２の測定値を入力とし、この測定値が所定の時間、所定の値以下になった場合に、全てのスイッチ手段に対して、本実施形態ではスイッチ手段１３１、１３２に対して電流を遮断する旨の信号を出力する。
【００１５】
以上のように構成された本発明の電力供給装置の動作を説明する。
【００１６】
例えば、テレビジョン受像機とセットトップボックスのように、電力供給を連動させたい複数の接続機器がある場合、それぞれの電源プラグを、電源コネクタ１５１と電源コネクタ１５２に差し込む。そして、使用状態において全ての接続機器の電源はオン状態であるとし、ともに本発明の電源供給装置から電力供給されているものとする。
【００１７】
かかる状態においては、スイッチ手段１３１、１３２はともに通電状態であり、電流測定手段１４１、１４２の測定値は電流が流れていることを示す値で所定の値より高い状態を示している。
【００１８】
次に、どちらか一方の接続機器の電源がオフされ、他方はオンのままの状態となった場合、オフされた配線側では流れていた電流が急激に減少する。電源がオフされた場合の電流量にノイズ等による誤動作を防止するマージンを付加した電流量を閾値として設定しておけば、電流測定手段１４１、１４２の測定値が閾値以下となれば電源がオフされたことが分かる。このとき、電源制御手段１１０は判断を確実に行うため一定の時間、この閾値以下であるか判断する。
【００１９】
電源制御手段１１０は、電流測定手段１４１、１４２の測定値が一定の時間、この閾値以下であるか判断したときは、全てのスイッチ手段１３１、１３２に対して電流を遮断する旨の信号を出力し、結果、全てのスイッチ手段１３１、１３２は電流を遮断する。
【００２０】
以上の動作によって、例えば、テレビジョン受像機とセットトップボックスがそれぞれ接続機器として本発明の電源供給装置に接続されていた場合、テレビジョン受像機の電源だけをオフしたとしても、セットトップボックスの電源供給も遮断され、逆にセットトップボックスだけをオフしたとしても、テレビジョン受像機の電源供給が遮断されることとなる。
【００２１】
本発明の電源供給装置では、分配される配線ごとの主従関係はなく、全ては対等であるので、以上説明した構成と動作によって、接続された機器の一つでも電源がオフされたときには、全ての電源がオフされることとなり、接続された電子機器の切り忘れがなくなる。
【００２２】
さらに、本発明の電源供給装置の一例を、図２を用いて詳細に説明する。図２は本発明の電源供給装置のより詳細な構成を示すブロック図である。
【００２３】
図２において、電源制御回路１１０はマイコン２１０と第一のＡＤ変換器２２１と第二のＡＤ変換器２２２とで構成される。また、電流測定手段１４１、１４２は、具体的には実効値電流計１６１、１６２で構成されている。その他の構成については図１で示す構成と同じであり、同一の構成要素は同じ符号を付している。
【００２４】
図１と異なる構成を説明する。実効値電流計１６１、１６２は、流れる交流電流の実効値をアナログ電圧として出力する。実効値電流計１６１、１６２の出力を受けて、それぞれのＡＤ変換器２２１、２２２は信号をデジタル値に変換して、その出力をマイコン２１０に送信する。そして当該デジタル値はマイコン２１０により一定時間ごとに監視される。
【００２５】
ＡＤ変換器２２１、２２２でのデジタル値が設定されたある閾値以下になるとマイコン２１０がスイッチ手段１３１、１３２に信号を出力して、スイッチはオフされる。
【００２６】
以下、図３のフローチャートでマイコン２１０の動作を説明する。本説明は両方の接続機器がオンである状態からスイッチ制御のみの動作ついての説明をする。
【００２７】
まず、マイコン２１０は、第一のＡＤ変換器２２１でのデジタル値を入手する（Ｓ１０１）。次に、マイコン２１０の内部である閾値を設定しており、マイコン２１０はその設定された閾値以下になっているかを判断する（Ｓ１０２）。閾値以下になっていれば、あらかじめマイコン２１０内部で設定された一定時間待つ（Ｓ１０５）。
【００２８】
Ｓ１０２での判断で閾値以下になっていない場合、マイコン２１０は、第二のＡＤ変換器２２２でのデジタル値を入手する（Ｓ１０３）。マイコン２１０は、設定された閾値以下になっているかを判断する（Ｓ１０４）。閾値以下になっていれば、あらかじめマイコン２１０内部で設定された一定時間待つ（Ｓ１０５）。
【００２９】
なお、Ｓ１０４での判断で閾値以下になっていない場合は、第一のＡＤ変換器２２１でのデジタル値を入手するステップに戻り（Ｓ１０１）、上記のステップを繰り返す。
【００３０】
あらかじめマイコン２１０内部で設定された一定時間待った後（Ｓ１０５）もう一度第一のＡＤ変換器２２１、あるいは第二のＡＤ変換器２２２でのデジタル値を入手して、閾値以下になっているかを確認する（Ｓ１０６）。閾値以下になっていれば、全てのスイッチ手段１３１、１３２のスイッチをオフにするスイッチ信号ＳＳに０を出力する（Ｓ１０７）。なお、スイッチ信号ＳＳが０である信号とはスイッチ手段に対し電流を遮断する旨の信号に該当する。
【００３１】
Ｓ１０６での判断で閾値以下になっていない場合は、第一のＡＤ変換器２２１でのデジタル値を入手するステップに戻り（Ｓ１０１）、上記のステップを繰り返す。
【００３２】
以上のように本発明の電源供給装置によれば、複数の機器が接続された場合において、接続された機器の一つでも電源がオフされたときには、全ての電源がオフされることとなり、接続された電子機器の切り忘れがなくなる。
【００３３】
なお、本実施の形態においては、電源の分配数を２の場合を説明したが、分配数が３以上であっても、それぞれの構成要素を分配数に対応するだけ設ければ、同様の効果が得られる。
【００３４】
（実施の形態２）
本実施の形態において、図１で示す全体構成は先の実施形態１と同じである。よって、本図の説明は省略し、特徴的な部分のみを説明する。図４は本発明の電源供給装置の異なる一例の構成を示すブロック図である。
【００３５】
図４において、実施の形態１の図２と異なる点は、電源制御回路１１０が微分手段３２１、３２２とタイマー３１０とで構成されることである。
【００３６】
以下、図５のタイミングチャートで、特徴的構成要素の機能と全体の動作を説明する。本説明は両方の接続機器がオンである状態からスイッチ制御のみの動作ついての説明をする。
【００３７】
まず、図５に示す入力（ａ）が振幅Ａの正弦波であり、時刻Ｔで電源がオフされたとすると、実効値電流計１６１、１６２の出力波形は電流値信号ＣＳのようになる。次に実効値電流計１６１、１６２を監視してその微分値を出力する微分手段３２１、３２２を通過後の出力信号ＤＳ（ｃ）は時刻Ｔのときにのみ値を持つことになる。ここで、時刻Ｔでの微分値がある閾値を超えると、タイマー（ｄ）が作動して時刻λ経過後にスイッチ手段１３１、１３２のスイッチをオフにする。
【００３８】
以上のように本発明の電源供給装置によれば、複数の機器が接続された場合において、接続された機器の一つでも電源がオフされたときには、全ての電源がオフされることとなり、接続された電子機器の切り忘れがなくなる。
【００３９】
なお、本実施の形態においては、電源の分配数を２の場合を説明したが、分配数が３以上であっても、それぞれの構成要素を分配数に対応するだけ設ければ、同様の効果が得られる。
【産業上の利用可能性】
【００４０】
本発明にかかる電源供給装置は、複数の機器が接続された場合において、接続された機器の一つでも電源がオフされたときには、全ての電源をオフすることができ、主従関係が決められない機器に電源を分配供給する装置等において有用である。
【図面の簡単な説明】
【００４１】
【図１】本発明の全体の構成を示すブロック図
【図２】本発明の実施の形態１における電源スイッチ制御回路の詳細な構成の一例を示すブロック図
【図３】本発明の実施の形態１における電源スイッチ制御回路の動作を説明するマイコンのフローチャート
【図４】本発明の実施の形態２における電源スイッチ制御回路の詳細な構成の他の一例を示すブロック図
【図５】本発明の実施の形態２における電源スイッチ制御回路の動作を説明する信号波形のタイミングチャート
【図６】従来技術における構成を示すブロック図
【符号の説明】
【００４２】
１１０    電源制御手段
１２０    電源プラグ
１３１、１３２    スイッチ手段
１４１、１４２    電流測定手段
１５１、１５２    電源コネクタ
１６１、１６２    実効値電流計
２１０    マイコン
２２１、２２２    ＡＤ変換器
３１０    タイマー
３２１、３２２    微分手段
【図１】
2009043474.tif 000003
【図２】
2009043474.tif 000004
【図３】
2009043474.tif 000005
【図４】
2009043474.tif 000006
【図５】
2009043474.tif 000007
【図６】
2009043474.tif 000008